【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録装置であって、
前記複数の記録ヘッドは、同色のインクを吐出可能な複数の同色インク用記録ヘッドを含み、
同じ記録データに基づいて、前記複数の同色インク用記録ヘッドのそれぞれを駆動してインクを吐出させる高濃度記録モード用制御部と、
前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて、前記高濃度記録モード用制御部による前記複数の同色インク用記録ヘッドの駆動タイミングを設定する高濃度記録モード用設定部と、
を備えることを特徴とする記録装置。
【請求項２】
前記複数の記録ヘッドは、前記複数の同色インク用記録ヘッドを複数色のインク毎に複数組含み、
前記高濃度記録モード用制御部は、前記複数組の同色インク用記録ヘッド毎に、同じ記録データに基づいて、前記複数の同色インク用記録ヘッドのそれぞれを駆動してインクを吐出させ、
前記高濃度記録モード用設定部は、前記複数組の同色インク用記録ヘッド毎に、前記複数の同色インク用記録ヘッドによって記録されるドットが互いに重なるように、前記高濃度記録モード用制御部による前記複数の同色インク用記録ヘッドの駆動タイミングを設定する
ことを特徴とする請求項１に記載の記録装置。
【請求項３】
前記複数組の同色インク用記録ヘッドが吐出するインクは、ブラック、シアン、マゼンタ、またはイエローのインクの内の少なくとも２つであることを特徴とする請求項１または２に記載の記録装置。
【請求項４】
前記複数の同色インク用記録ヘッドのそれぞれにラスタ単位で振り分けられた記録データに基づいて、前記複数の同色インク用記録ヘッドのそれぞれを駆動してインクを吐出させる高速記録モード用制御部と、
前記複数の同色インク用記録ヘッドによって記録される画像部分が互いに補完し合って画像を形成するように、前記高速記録モード用制御部による前記複数の同色インク用記録ヘッドの駆動タイミングを設定する高速記録モード用設定部と、
を備えることを特徴とする請求項１から３のいずれかに記載の記録装置。
【請求項５】
前記高速記録モード用設定部は、前記被記録媒体の搬送速度に応じた同期信号と、前記被記録媒体の搬送方向における前記複数の同色インク用記録ヘッドの位置関係と、に基づいて、前記複数の同色インク用記録ヘッドの駆動タイミングを設定することを特徴とする請求項４に記載の記録装置。
【請求項６】
前記複数の記録ヘッドは、前記複数の同色インク用記録ヘッドを複数色のインク毎に複数組含み、
前記高速記録モード用制御部は、前記複数組の同色インク用記録ヘッド毎に、前記複数の同色インク用記録ヘッドのそれぞれにラスタ単位で振り分けられた記録データに基づいて、前記複数の同色インク用記録ヘッドのそれぞれを駆動してインクを吐出させ、
前記高濃度記録モード用設定部は、前記複数組の同色インク用記録ヘッド毎に、前記複数の同色インク用記録ヘッドによって記録される画像部分が互いに補完し合って画像を形成するように、前記高速記録モード用制御部による前記複数の同色インク用記録ヘッドの駆動タイミングを設定する
ことを特徴とする請求項４に記載の記録装置。
【請求項７】
前記複数の記録モードに応じた速度で前記被記録媒体を搬送する搬送手段を備えることを特徴とする請求項１から６のいずれかに記載の記録装置。
【請求項８】
前記複数の記録ヘッドは複数のプリンタユニットに分けて備えられ、
前記複数のプリンタユニットは、
少なくとも１つの前記記録ヘッドを搭載可能なヘッドユニットと、
前記記録ヘッドにインクを供給するインク供給ユニットと、
前記記録ヘッドを駆動制御する記録制御ユニットと、
を含む
ことを特徴とする請求項１から７のいずれかに記載の記録装置。
【請求項９】
前記記録制御ユニットは、前記記録ヘッドに対応する記録データを蓄積する画像メモリを備えることを特徴とする請求項８に記載の記録装置。
【請求項１０】
前記複数のプリンタユニットにおける前記ヘッドユニットは、それぞれ、異なるインクを吐出可能な複数の記録ヘッドが前記被記録媒体の搬送方向に沿って同じ順序で搭載可能であることを特徴とする請求項８または９に記載の記録装置。
【請求項１１】
前記複数のプリンタユニットにおける前記ヘッドユニットは、それぞれ、同じインクを吐出可能な記録ヘッドが少なくとも１つずつ搭載可能であることを特徴とする請求項８または９に記載の記録装置。
【請求項１２】
被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録装置と、
前記記録装置に前記記録データを供給するホスト装置と、
を含む記録システムであって、
前記複数の記録ヘッドは、同色のインクを吐出可能な複数の同色インク用記録ヘッドを含み、
前記記録装置は、
同じ記録データに基づいて、前記複数の同色インク用記録ヘッドのそれぞれを駆動してインクを吐出させる高濃度記録モード用制御部と、
前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて、前記高濃度記録モード用制御部による前記複数の同色インク用記録ヘッドの駆動タイミングを設定する高濃度記録モード用設定部と、
を備え、
前記ホスト装置は、前記複数の同色インク用記録ヘッドに対して同じ記録データを供給する手段を備える
ことを特徴とする記録システム。
【請求項１３】
被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録方法であって、
前記複数の記録ヘッドは、同色のインクを吐出可能な複数の同色インク用記録ヘッドを含み、
同じ記録データに基づいて、前記複数の同色インク用記録ヘッドのそれぞれを駆動してインクを吐出させ、
高濃度記録モードにおける前記複数の同色インク用記録ヘッドの駆動タイミングは、前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて設定する
ことを特徴とする記録方法。
【請求項１４】
被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録装置を制御するためのプログラムであって、
前記複数の記録ヘッドは、同色のインクを吐出可能な複数の同色インク用記録ヘッドを含み、
同じ記録データに基づいて、前記複数の同色インク用記録ヘッドのそれぞれを駆動してインクを吐出させる工程と、
高濃度記録モードにおける前記複数の同色インク用記録ヘッドの駆動タイミングは、前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて設定する工程と、
をコンピュータに実行させることを特徴とするプログラム。
【手続補正２】
【補正対象書類名】明細書
【補正対象項目名】００１１
【補正方法】変更
【補正の内容】
【００１１】
本発明の記録装置は、被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録装置であって、前記複数の記録ヘッドは、同色のインクを吐出可能な複数の同色インク用記録ヘッドを含み、同じ記録データに基づいて、前記複数の同色インク用記録ヘッドのそれぞれを駆動してインクを吐出させる高濃度記録モード用制御部と、前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて、前記高濃度記録モード用制御部による前記複数の同色インク用記録ヘッドの駆動タイミングを設定する高濃度記録モード用設定部と、を備えることを特徴とする。
【手続補正３】
【補正対象書類名】明細書
【補正対象項目名】００１２
【補正方法】変更
【補正の内容】
【００１２】
本発明の記録システムは、被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録装置と、前記記録装置に前記記録データを供給するホスト装置と、
を含む記録システムであって、前記複数の記録ヘッドは、同色のインクを吐出可能な複数の同色インク用記録ヘッドを含み、前記記録装置は、同じ記録データに基づいて、前記複数の同色インク用記録ヘッドのそれぞれを駆動してインクを吐出させる高濃度記録モード用制御部と、前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて、前記高濃度記録モード用制御部による前記複数の同色インク用記録ヘッドの駆動タイミングを設定する高濃度記録モード用設定部と、を備え、前記ホスト装置は、前記複数の同色インク用記録ヘッドに対して同じ記録データを供給する手段を備えることを特徴とする。
【手続補正４】
【補正対象書類名】明細書
【補正対象項目名】００１３
【補正方法】変更
【補正の内容】
【００１３】
本発明の記録方法は、被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録方法であって、前記複数の記録ヘッドは、同色のインクを吐出可能な複数の同色インク用記録ヘッドを含み、同じ記録データに基づいて、前記複数の同色インク用記録ヘッドのそれぞれを駆動してインクを吐出させ、高濃度記録モードにおける前記複数の同色インク用記録ヘッドの駆動タイミングは、前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて設定することを特徴とする。
【手続補正５】
【補正対象書類名】明細書
【補正対象項目名】００１４
【補正方法】変更
【補正の内容】
【００１４】
本発明のプログラムは、被記録媒体の搬送方向にずれて位置する複数のインクジェット記録ヘッドを用い、前記被記録媒体を搬送しつつ、記録データに基づき前記複数の記録ヘッドを駆動してインクを吐出させることによって、前記被記録媒体に画像を記録する記録装置を制御するためのプログラムであって、前記複数の記録ヘッドは、同色のインクを吐出可能な複数の同色インク用記録ヘッドを含み、同じ記録データに基づいて、前記複数の同色インク用記録ヘッドのそれぞれを駆動してインクを吐出させる工程と、高濃度記録モードにおける前記複数の同色インク用記録ヘッドの駆動タイミングは、前記複数の同色インク用記録ヘッドによって記録されるドットが互いに重なるように、前記被記録媒体の搬送速度に応じた同期信号と、前記被記録媒体の搬送方向における前記複数の同色インク用記録ヘッドの位置関係と、に基づいて設定する工程と、をコンピュータに実行させることを特徴とする。